(57)【要約】  スキャニング装置からスキャンした文書の指標を受信すること、スキャンした文書の指標の受信に応答して遅延期間を待機すること、及び遅延期間の待機後、文書保有者の画像をキャプチャするように画像キャプチャ装置に指示することを含む、システム及び方法が記載される。このように、記載されたシステム及び方法は、スキャンした文書の指標を受信した後に遅延期間を待機し、文書保有者がスキャニング装置から画像キャプチャ装置に見上げるのに十分な時間を可能にすることによって、顔認識スループットを向上させることができる。【選択図】図１
2021522599.tif 000002
【特許請求の範囲】
【請求項１】
顔認識スループットを向上させるためのシステムであって、
文書の識別コードを読み取るように構成されたスキャニング装置と、
文書保有者の画像をキャプチャするよう構成された画像キャプチャ装置と、
前記画像キャプチャ装置及び前記スキャニング装置に通信可能に結合されたプロファイル及び遅延システムと、
を備え、
前記プロファイル及び遅延システムが、
遅延期間を生成するよう構成された遅延ロジックと、
プロセッサと、
を含み、前記プロセッサが、
前記識別コードが読み取られたという指標を前記スキャニング装置から受信し、
前記遅延期間を前記遅延ロジックから受信し、
前記遅延期間を待機し、
前記画像キャプチャ装置に対して、前記文書保有者の画像をキャプチャするよう指示する、
ように構成されており、
前記文書保有者の画像は、顔認識を用いて前記文書保有者を認証するのに使用されるように構成されている、ことを特徴とするシステム。
【請求項２】
前記スキャニング装置が、識別コードリーダーを含み、該識別コードリーダーは、前記文書の前記識別コードを読み取るように構成される、請求項１に記載のシステム。
【請求項３】
前記文書は、資格又はクレデンシャルへのアクセスを前記文書保有者に提供するよう構成される、請求項１に記載のシステム。
【請求項４】
前記文書が入場券を含み、前記資格又はクレデンシャルが、テーマパークへの入場を含む、請求項３に記載のシステム。
【請求項５】
前記画像キャプチャ装置は、ディスプレイを含み、前記ディスプレイが、前記スキャニング装置を用いて前記識別コードを読み取るように前記文書保有者に指示するよう構成されている、請求項１に記載のシステム。
【請求項６】
前記プロファイル及び遅延システムが記憶装置を含み、前記記憶装置が、複数の文書所有者プロファイルを格納するよう構成される、請求項１に記載のシステム。
【請求項７】
前記複数の文書所有者プロファイルの文書所有者プロファイルが、前記識別コードと、前記文書保有者の画像とを含む、請求項６に記載のシステム。
【請求項８】
前記プロファイル及び遅延システムが、通信ネットワークを介して前記画像キャプチャ装置及び前記スキャニング装置に通信可能に結合される、請求項１に記載のシステム。
【請求項９】
前記遅延期間が、前記スキャニング装置が前記識別コードを読み取った後に、前記文書保有者が前記画像キャプチャ装置を見るのに十分な時間を提供するよう構成される、請求項１に記載のシステム。
【請求項１０】
前記遅延期間が、０．５〜３秒の間である、請求項１に記載のシステム。
【請求項１１】
前記プロセッサが、前記文書保有者の画像をキャプチャしようとする成功した試行の割合に基づいて、前記遅延期間を調整するよう構成される、請求項１に記載のシステム。
【請求項１２】
顔認識スループットを向上させるためのプロファイル及び遅延システムであって、
遅延期間を生成するよう構成された遅延ロジックと、
プロセッサと、
を備え、前記プロセッサが、
前記プロファイル及び遅延システムに通信可能に結合されたスキャニング装置からスキャンした文書の指標を受信し、
前記遅延ロジックから前記遅延期間を受信し、
前記遅延期間を待機し、
前記プロファイル及び遅延システムに通信可能に結合された画像キャプチャ装置に対して、文書保有者の画像をキャプチャするよう指示する、
ように構成されており、
前記文書保有者の画像は、顔認識を用いて前記文書保有者を認証するのに使用されるように構成されている、ことを特徴とするプロファイル及び遅延システム。
【請求項１３】
前記スキャンした文書が、チケット、識別文書又は支払い形式を含む、請求項１２に記載のプロファイル及び遅延システム。
【請求項１４】
記憶装置を備え、前記記憶装置が、複数の文書保有者プロファイルを格納するよう構成されている、請求項１２に記載のプロファイル及び遅延システム。
【請求項１５】
前記スキャンした文書が、文書識別子を含み、前記複数の文書保有者プロファイルのうちの文書保有者プロファイルが、前記文書識別子及び前記文書保有者の画像を含む、請求項１４に記載のプロファイル及び遅延システム。
【請求項１６】
前記画像キャプチャ装置及び前記スキャニング装置が、通信ネットワークを介して前記プロファイル及び遅延システムに通信可能に結合される、請求項１２に記載のプロファイル及び遅延システム。
【請求項１７】
顔認識スループットを向上させるための方法であって、
スキャンした文書の指標を受信するステップと、
前記スキャンした文書の指標の受信に応答して遅延期間を待機するステップと、
前記遅延期間を待機するステップの後、文書保有者の画像をキャプチャするよう画像キャプチャ装置に指示するステップと、
を含み、前記文書保有者の画像は、顔認識を用いて前記文書保有者を認証するのに使用されるよう構成される、方法。
【請求項１８】
前記スキャンした文書の識別子を受信するステップと、
前記文書保有者の前記画像を受信するステップと、
を含む、請求項１７に記載の方法。
【請求項１９】
前記識別子を記憶装置に格納するステップと、
前記記憶装置に前記文書保有者の画像を格納するステップと、
前記記憶装置の前記画像と前記識別子を関連付けるステップと、
を含む、請求項１８に記載の方法。
【請求項２０】
前記文書保有者の画像をキャプチャしようとする成功した試行の割合に基づいて、前記遅延期間を調整するよう構成される、請求項１７に記載の方法。
【発明の詳細な説明】
【技術分野】
【０００１】
（関連出願の相互参照）
本出願は、名称が「Ｓｙｓｔｅｍ  ａｎｄ  Ｍｅｔｈｏｄ  ｆｏｒ  Ｆａｃｉｌｉｔａｔｉｎｇ  Ｔｈｒｏｕｇｈｐｕｔ  Ｕｓｉｎｇ  Ｆａｃｉａｌ  ｒｅｃｏｇｎｉｔｉｏｎ」の２０１８年５月１日に出願された米国仮出願第６２／６６５，２７２号の利益を主張し、本仮出願は、あらゆる目的で引用により全体が本明細書に組み込まれる。
【背景技術】
【０００２】
本開示は、全体的に、顔認識に関する。より詳細には、本開示の実施形態は、例えば、文書における識別コードを評価することと連動して使用されるときに、顔認識のスループットを向上させるシステム及び方法に関する。
【０００３】
このセクションは、以下に記載され及び／又は特許請求される本発明の手法の様々な態様に関連することができる、当該技術の様々な態様を読者に紹介することを意図している。この議論は、本開示の様々な態様のより良い理解を容易にするための背景情報を読者に提供するのに役立つと考えられる。従って、これらの記載は、従来技術の自認としてではなく、この観点から読まれるべきであることを理解されたい。
【０００４】
テーマパークなどの多くの会場は、大規模な訪問者グループのアクセス権を管理している。このような会場では、従来のキューイングシステムを利用して、アクセスを制御し、スループットを管理していることが多い。例えば、従来の紙のチケットシステムは、アクセス権を確認するため、及び特定の時間枠内で会場への入場が認められる人数を制御するために利用されることが多い。また、特定の従来の手法は、指紋スキャン及び顔認識などの生体認証データの使用を含む。現在では、特定のシステム及び手法を従来の手法の態様と併用して、キューイング手順のスループットを向上させることができることが認識されている。
【０００５】
文書及び文書に関連付けられた文書保有者を認証することは、文書の識別コードをスキャンし、文書保有者の顔画像などの画像をキャプチャすることを含むことができる。詳細には、スキャニング装置を使用して、文書の識別コードを読み取ることができ、識別コードを正常に読み取ると、カメラは、文書保有者の画像をキャプチャすることができる。ここで、スキャニング装置が文書をスキャンして識別コードを読み取っている間、文書保有者は、下を向いて、例えば、識別コードがスキャニング装置のセンサと位置合わせされていることを確実にすることが認識されている。このため、識別コードの正常な読み取りに応答して、スキャニング装置が文書保有者の画像を（即座に）キャプチャするようにプログラムされている場合、カメラは、文書保有者の画像を正確にキャプチャしない場合がある。すなわち、カメラ（文書保有者が直立して見ているときに好適な画像をキャプチャするように位置することができる）は、文書保有者がカメラから離れてスキャニング装置を見下ろしているときに文書保有者の画像をキャプチャすることができる。
【発明の概要】
【発明が解決しようとする課題】
【０００６】
最初に請求項に記載された本発明の範囲内にある特定の実施形態について以下で要約する。これらの実施形態は、本開示の範囲を限定することを意図するものではなく、むしろ、これらの実施形態は、特定の開示された実施形態の簡単な要約を提供することのみを意図する。実際に、本開示は、以下に記載される実施形態と類似又は異なるものとすることができる様々な形態を包含することができる。
【課題を解決するための手段】
【０００７】
本開示は、例えば、文書の識別コードを読み取ることと連動して使用されるときに、顔認識スループットを向上させるシステム及び方法を提供する。詳細には、スキャニング装置を使用して、文書の識別コード（例えば、チケット、識別文書、支払い形式、又は同様のもの）を読み取ることができる。スキャニング装置に通信可能に結合されたコントローラは、識別コードが正常に読み取られたという指標を受信し、例えば、遅延ロジックによって実装された遅延期間（例えば１秒）を待機することができる。遅延期間は、識別コードが正常に読み取られたことを文書保有者（例えば、来場客、入場者、乗客、その他）が認識して、見上げる（例えば、カメラの方向に）のに十分な時間を可能にすることができる。次に、コントローラは、コントローラに同様に通信可能に結合されたカメラに対して、文書保有者の画像をキャプチャするように指示することができる。このようにして、現在開示されているシステム及び方法は、顔画像をより確実にキャプチャすることによって、顔認識スループットを向上させることができる。
【０００８】
１つの実施形態では、システムは、文書の識別コードを読み取るスキャニング装置と、文書保有者の画像をキャプチャする画像キャプチャ装置とを含む。本システムはまた、画像キャプチャ装置及びスキャニング装置に通信可能に結合されたプロファイル及び遅延システムを含む。プロファイル及び遅延システムは、遅延期間を生成する遅延ロジックを含む。プロファイル及び遅延システムはまた、識別コードが読み取られたという指標をスキャニング装置から受信するプロセッサを含む。プロセスはまた、遅延ロジックから遅延期間を受け取り、この遅延期間を待機して、画像キャプチャ装置に対して文書保有者の画像をキャプチャするように指示する。
【０００９】
別の実施形態では、プロファイル及び遅延システムは、遅延期間を生成する遅延ロジックを含む。プロファイル及び遅延システムはまた、プロファイル及び遅延システムに通信可能に結合されたスキャニング装置からスキャンした文書の指標を受信するプロセッサを含む。また、プロセッサは、遅延ロジックから遅延期間を受け取り、遅延期間を待機して、プロファイル及び遅延システムに通信可能に結合された画像キャプチャ装置に対して文書保有者の画像をキャプチャするよう指示する。
【００１０】
更に別の実施形態では、方法は、スキャンした文書の指標を受信すること、スキャンした文書の指標の受信に応答して遅延期間を待機すること、及び遅延期間の待機後、文書保有者の画像をキャプチャするように画像キャプチャ装置に指示することを含む。
【００１１】
本開示のこれら及び他の特徴、態様、及び利点は、以下の詳細な説明が、図面全体にわたって同様の文字が同様の部分を表す添付の図面を参照して読まれるときに、よりよく理解されるであろう。
【図面の簡単な説明】
【００１２】
【図１】本開示の実施形態による、文書認証及び顔認識システムのスキャニング装置を使用して文書をスキャンする準備をしている文書保有者の斜視図である。
【図２】本開示の実施形態による、文書認証及び顔認識システムのスキャニング装置を使用して文書をスキャンしている文書保有者の斜視図である。
【図３】本開示の実施形態による、文書認証及び顔認識システムのスキャニング装置が文書の識別コードを正常に読み取った後、遅延期間が経過した後の文書保有者の斜視図である。
【図４】本開示の実施形態による、図１〜３の文書認証及び顔認識システムのブロック図である。
【図５】本開示の実施形態による、図１〜３の文書認証及び顔認識システムを使用して、顔認識スループットを向上させるためのプロセスのフローチャートである。
【発明を実施するための形態】
【００１３】
本開示は、文書（例えば、チケット）の識別コードが正常に読み取られたという指標を受信した後で且つ文書保有者（来場客、入場者、乗客、その他）の顔の画像をキャプチャする前に、遅延期間を待機することによって、顔認識スループットを向上させるシステム及び方法を提供する。文書は、従来のチケットか、或いはスマートフォンの画面に表示されるバーコードなど、携帯機器のディスプレイに表示される電子チケットとすることができることに留意されたい。
【００１４】
図１〜３は、本開示の実施形態による、文書認証及び顔認識システム１０の斜視図である。文書認証及び顔認識システム１０は、文書保有者１４がスキャニング装置１８によって文書１６の識別コード２０の読み取りを開始した後（例えば、文書１６のスキャンに成功した後）、文書保有者１４の顔１２の画像データをキャプチャすることができる。文書１６は、チケット（例えば、入場券、テーマパークチケット、エンターテインメントチケット、特別ステータスパス、及び同様のもの）、識別文書（例えば、パスポート、運転免許証及び同様のもの）、支払い形式（例えば、クレジットカード、デビットカード及び同様のもの）、その他など、スキャンすることができる何れかの好適な文書とすることができる。詳細には、文書１６は、特定の特権（例えば、テーマパーク又はスポーツイベントへの入場、金融資産へのアクセス、又は同様のもの）を可能にする資格又はクレデンシャルを文書保有者１４に対し提供することができる。
このため、文書保有者１４は、スキャニング装置１８を用いて文書１６をスキャンして、テーマパーク、娯楽施設、コンサート、映画館、演劇、イベントの特別レベル（例えば、クラブレベル又はVIPレベル）又は同様のものへの入場を許可され、文書保有者１４のアイデンティティを認証すること、或いは製品又はサービスの代金を支払うことができる。スキャニング装置１８は、文書１６の識別コード２０を読み取って文書１６を認証することができる。例えば、スキャニング装置１８は、バーコードリーダー、クイックレスポンス（ＱＲ）コードリーダー、無線周波数識別（ＲＦＩＤ）コードリーダー、近距離無線通信タグリーダー又は同様のものなどの何れかの好適なタイプの識別コードリーダーとすることができる。このため、識別コード２０は、バーコード、クイックレスポンス（ＱＲ）コード、無線周波数識別（ＲＦＩＤ）コード、近距離無線通信タグ又は同様のものなどの何れかの好適なタイプの識別コードを含むことができる。更に、幾つかの実施形態では、文書１６は、電子文書とすることができ、携帯電話（例えば、スマートフォン）、タブレットコンピュータ、ウェアラブルデバイス、又は識別コード２０を表示することができる他の何れかの好適なデバイスなど、文書保有者の電子デバイス上に表示することができる。
【００１５】
識別コード２０は、スキャニング装置１８が識別コード２０を読み取ることを可能にするために、スキャニング装置１８のセンサ２２と位置合わせすることができる。識別コード２０がバーコード又はＱＲコードである場合などの幾つかの実施形態では、スキャニング装置１８は、識別コード２０を照明システム（例えば、赤色光）で照明することによって、識別コード２０の要素（例えば、マーキング）を読み取ることができる。具体的には、スキャニング装置１８のセンサ２２は、照明システムからの反射光を検出し、デコーダに送信されるアナログ信号を生成することができる。デコーダは、アナログ信号を解読し、識別コード２０を妥当性確認して（例えば、チェックディジットプロセスを使用して）、識別コード２０を使用可能なデータ（例えば、テキスト）に変換することができる。本開示における識別コード２０への更なる言及は、文書１６に印刷及び／又は表示された識別コード２０の物理的（例えば、黒及び白）要素及び／又は識別コード２０によって表され伝達される関連データ（例えば、変換されたテキスト）に適用することができる。
【００１６】
図１は、本開示の実施形態による、スキャニング装置１８を使用して文書１６（例えば、チケット）をスキャンする準備をしている文書保有者１４（例えば、来場客、入場者、乗客、その他）の斜視図である。画像キャプチャ装置２４は、文書保有者の顔１２の画像をキャプチャするためのカメラ２６を含むことができる。図示のように、画像キャプチャ装置２４は、文書保有者１４（及びスキャニング装置１８）の前に位置することができる。幾つかの実施形態では、画像キャプチャ装置２４は、ディスプレイ２８を含むことができる。ディスプレイ２８は、例えば、ディスプレイ２８によって提供される指示に従うこと、文書１６をスキャンするタイミング、識別コード２０をセンサ２２と位置合わせすること、及び同様のものに関する指示を文書保有者１４に提供することができる。画像キャプチャ装置２４は、タブレットコンピュータなど、カメラ２６を含むことができる何れかの好適な装置を含むことができ、カメラ２６は、文書保有者の顔１２の画像をキャプチャすることができる何れかの好適な装置を含むことができる。画像キャプチャ装置２４、及びより詳細にはカメラ２６は、文書保有者の顔１２の概略高さに向けることができる。幾つかの実施形態では、カメラ２６は、オンにしてスキャンすることができるが、文書保有者１４が図１に示すように文書１６をスキャンする準備をしている間は画像又はビデオをキャプチャしていなくてもよい。プロファイル及び遅延システム３０は、スキャニング装置１８を（無線及び／又は有線接続を介して）画像キャプチャ装置２４に通信可能に結合することができる。プロファイル及び遅延システム３０の詳細を以下に説明する。
【００１７】
図２は、本開示の実施形態による、スキャニング装置１８を使用して文書１６をスキャンしている文書保持者１４の斜視図である。識別コード２０を読み取るために、識別コード２０をスキャニング装置１８のセンサ２２と位置合わせすることができる。このため、文書保有者１４は、センサ２２及び／又はスキャニング装置１８を見下ろして、識別コード２０がセンサ２２と位置合わせされていることを確保することができる。センサ２２は、センサ２２と識別コード２０との間で位置合わせされたときに、識別コード２０を正常に読み取ることができる。一部の従来のシステムでは、スキャニング装置１８が識別コード２０を正常に読み取ったことに応じて、カメラ２６を用いて文書所持者の顔１２の画像を（即時に）キャプチャするように画像キャプチャ装置２４に指示することができる。幾つかの実施形態では、画像キャプチャ装置２４のディスプレイ２８は、文書１６が正常に読み取られたことを示すことができる。しかしながら、画像キャプチャ装置２４は、文書保有者１４の前に位置しており、文書保有者１４は、センサ２２及び／又はスキャニング装置１８を見下ろしている可能性があるので（例えば、識別コード２０がセンサ２２と位置合わせされることを確実にするために）、画像キャプチャ装置２４は、文書保有者の顔の画像を即座にキャプチャしようと試行することに起因して、文書保有者の顔１２の良好で有効な及び／又は適切な表現をキャプチャしない可能性がある。図２に示されるように、画像キャプチャ装置２４は、代わりに、文書保有者の頭部４０の上部の画像をキャプチャすることができる。
【００１８】
図３は、本開示の実施形態による、識別コード２０を正常に読み取った後に遅延期間が満了した後の文書保有者１４の斜視図である。遅延期間は、識別コード２０が正常に読み取られた後で文書保有者１４が画像キャプチャ装置２４を見上げることができるのに十分な何れかの好適な期間とすることができる。遅延期間は、プロファイル及び遅延システム３０によって提供することができる。幾つかの実施形態では、識別コード２０を正常に読み取った後、画像キャプチャ装置２４及び／又はスキャニング装置１８は、識別コード２０が正常に読み取られたことを示すことができる。例えば、画像キャプチャ装置２４のディスプレイ２８は、識別コード２０が正常に読み取られたこと（又は文書１６が正常にスキャンされたこと）を視覚的指標５０を提供することができる。一部の実施形態では、スキャニング装置１８は、例えば、ビープ音を提供すること、又は「あなたの文書が正常にスキャンされました。」と言う音声のオーディオクリップを再生することによって、識別コード２０が正常に読み取られたことのオーディオ指標を提供することができる。加えて又は代替として、スキャニング装置１８は、識別コード２０が正常に読み取られたことの視覚的及び／又はオーディオ指標を提供することができる。例えば、スキャニング装置１８は、識別コード２０が正常に読み取られたことを示すテキストを提供するディスプレイ（例えば、ＬＤＣ又はＬＥＤディスプレイ）を含むことができる。文書保有者１４は、識別コード２０が正常に読み取られたという指標を受け取った後、画像キャプチャ装置２４の方向で見上げることができる（例えば、前方に移動するため、及び／又は画像キャプチャ装置２４から更に指示を受け取るため）。
【００１９】
遅延期間は、文書保有者１４が画像キャプチャ装置２４の方向を見上げるのにかかる時間に対応することができる。次いで、画像キャプチャ装置２４は、文書保有者の顔１２の画像をキャプチャすることができる。次に、例えば、不正取引、許可されていない個人への文書の許可されていない転売及び同様のことを防ぐために、文書保有者１４が後で文書１６又は識別コード２０を使用（例えば、スキャン）するときに、文書保有者の顔１２の画像を使用して、顔認識技術を介して文書保有者１４を認証することができる。このようにして、文書認証及び顔認識システム１０は、識別コード２０が正常に読み取られたという指標を受信した後で文書保有者の顔１２の画像をキャプチャしようとする前に、遅延期間を待機することによって顔認識スループットを向上させることができる。
【００２０】
図４は、本開示の実施形態による、図１〜３の文書認証及び顔認識システム１０のブロック図である。図１〜３に関して上で論じたように、文書認証及び顔認識システム１０は、画像キャプチャ装置２４を含むことができる。画像キャプチャ装置２４は、文書保有者の顔１２の画像をキャプチャすることができるカメラ２６を含むことができる。幾つかの実施形態では、画像キャプチャ装置２４は、文書保有者１４に指示を提供することができるディスプレイ２８を含むことができる。画像キャプチャ装置２４はまた、画像キャプチャ装置２４を制御するコントローラ６０を含むことができる。コントローラ６０は、画像キャプチャ装置２４（例えば、スキャニング装置１８からの入力に基づいて）を制御する命令を実行するプロセッサ６２と、命令を格納するメモリ６４と、を含むことができる。画像キャプチャ装置２４はまた、画像キャプチャ装置２４が、通信ネットワーク６８を介してスキャニング装置１８などの他の装置と通信することを可能にする通信インターフェース６６を含むことができる。プロセッサ６２、メモリ６４、通信インターフェース６６、通信ネットワーク６８に関する詳細について、以下に説明する。
【００２１】
また、図１〜３に関して上で論じたように、文書認証及び顔認識システム１０は、スキャニング装置１８を含むことができ、該スキャニング装置１８は、スキャニング装置１８が文書１６の識別コード２０を読み取ることを可能にするセンサ２２を含む。スキャニング装置１８はまた、スキャニング装置１８を制御するコントローラ７０を含むことができる。コントローラ７０は、スキャニング装置１８を制御するための命令を実行するプロセッサ７２と、命令を格納するメモリ７４と、を含むことができる。スキャニング装置１８はまた、スキャニング装置１８が通信ネットワーク６８を介して画像キャプチャ装置２４などの他の装置と通信することを可能にする通信インターフェース７６を含むことができる。プロセッサ７２、メモリ７４、及び通信インターフェース７６に関する詳細について、以下に説明する。
【００２２】
文書認証及び顔認識システム１０はまた、文書の識別コード２０又は文書識別子（「文書ＩＤ」）を対応する文書保有者の顔１２の画像又は文書保有者画像８４と関連付ける文書保有者プロファイル８２を生成及び／又は格納するプロファイル及び遅延システム３０を含むことができる。プロファイル及び遅延システム３０は、１又は２以上のデスクトップコンピュータ、パーソナルコンピュータ、ラップトップコンピュータ、サーバ、タブレットコンピュータ、モバイルデバイス、スマートフォン、ウェアラブルデバイスなどの１又は２以上のコンピューティングデバイスとして実装することができる。詳細には、プロファイル及び遅延システム３０は、文書保有者プロファイル８２を格納する記憶装置８６を含むことができる。プロファイル及び遅延システム３０はまた、文書１６をスキャンした後、文書保有者１４が画像キャプチャ装置２４を見上げて、文書保有者の顔１２の良好で有効な及び／又は適切な表現を提供するのに十分な遅延期間を生成及び／又は提供する遅延ロジック８８を含むことができる。例えば、遅延期間は、約１秒など、０．１〜１０秒、０．２５〜５秒、０．５〜３秒、及び同様のものとすることができる。遅延ロジック８８は、ハードウェア（例えば、回路）、ソフトウェア（例えば、データ又はコンピュータ命令）、又は両方の組み合わせの形態とすることができる。プロファイル及び遅延システム３０はまた、プロファイル及び遅延システム３０を制御するコントローラ９０を含むことができる。コントローラ９０は、プロファイル及び遅延システム３０を制御するための命令を実行するプロセッサ９２と、命令を格納するメモリ９４と、を含むことができる。プロファイル及び遅延システム３０はまた、プロファイル及び遅延システム３０が、画像キャプチャ装置２４及びスキャニング装置１８などの他のデバイスと通信ネットワーク６８を介して通信することを可能にする通信インターフェース９６を含むことができる。記憶装置８６、プロセッサ９２、メモリ９４、通信インターフェース９６に関する詳細について、以下に説明する。
【００２３】
幾つかの実施形態では、遅延ロジック８８によって生成される遅延期間は、画像キャプチャ装置２４による、文書保有者の顔画像をキャプチャしようとする成功及び失敗した試行に基づいて調整又は合わせることができる。例えば、プロファイル及び遅延システム３０は、所望の特性（例えば、文書保有者の顔１２の十分な表現）を備えた顔画像をキャプチャしようとする成功及び失敗した試行を追跡することができる人工知能ロジックを含むことができる。人工知能ロジックは、遅延ロジック８８によって提供されるように、遅延期間を調整又は合わせて、時間の経過とともに成功を高めることができる。例えば、文書保有者の顔画像をキャプチャしようとする成功した試行で十分であると見なされる閾値率（例えば、パーセンテージ、比率など）が存在することができる。文書保有者の顔画像のキャプチャの試行成功率が不十分な場合、人工知能ロジックは、遅延期間を増減することができる。このような状況では、成功した試行の閾値率が十分であると見なされ、遅延期間を延長する時間の量は、デフォルトで設定されるか、ユーザーによって設定されるか、及び／又は人工知能ロジックによって学習することができる。更に、場合によっては、成功した試行の割合が十分であると見なされる成功した試行の閾値率よりも大きい場合、人工知能ロジックは、遅延ロジックを減らして、文書保有者１４の待機時間を短縮することができる。例えば、過度であると見なされる可能性のある閾値遅延期間（例えば、文書保有者１４が待機するには長すぎる）が存在する場合があり、成功した試行の割合が、十分であると見なされる成功した試行の閾値率よりも大きい場合、及び遅延期間が閾値遅延期間よりも大きい場合、人工知能ロジックは、遅延期間を短縮することができる。幾つかの実施形態では、人工知能ロジックは、プロファイル及び遅延システム３０の一部（例えば、プロセッサ９２の一部）であるハードウェア（例えば、回路）及び／又はプロファイル及び遅延システム３０の一部（例えば、メモリ９４の一部）であるソフトウェア（例えば、命令）を含むことができる。このように、プロファイル及び遅延システム３０は、スキャンした文書１６の指標を受信した後で且つ文書保有者の顔１２の画像をキャプチャする前に遅延期間を待機することによって、顔認識スループットを向上させることができる。
【００２４】
上記のように、画像キャプチャ装置２４、スキャニング装置（スキャニング装置）１８、並びにプロファイル及び遅延システム３０の各々は、１又は２以上のそれぞれのプロセッサ６２、７２、９２及び１又は２以上のそれぞれのメモリデバイス６４、７４、９４を含むそれぞれのコントローラ６０、７０、９０を含むことができる。プロセッサ６２、７２、９２（例えば、マイクロプロセッサ）は、文書識別子２０の読み取り、文書保有者の顔１２の画像８４のキャプチャ、及び／又は文書識別子２０を画像８４に関連付けることに関連するソフトウェアプログラム及び／又は命令を実行することができる。更に、プロセッサ６２、７２、９２は、複数のマイクロプロセッサ、１又は２以上の「汎用」マイクロプロセッサ、１又は２以上の専用マイクロプロセッサ、及び／又は１又は２以上の特定用途向け集積回路（ＡＳＩＣＳ）、或いはこれらの幾つかの組み合わせを含むことができる。例えば、プロセッサ６２、７２、９２は、１又は２以上の縮小命令セット（ＲＩＳＣ）プロセッサを含むことができる。メモリデバイス６４、７４、９４、並びに記憶装置８６は、制御ソフトウェア、ルックアップテーブル、構成データ及びその他などの情報を格納することができる。幾つかの実施形態では、プロセッサ６２、７２、９２、メモリデバイス６４、７４、９４、及び／又は記憶装置８６は、それぞれのコントローラ６０、７０、９０の外部に存在することができる。メモリデバイス６４、７４、９４及び記憶装置８６の各々は、揮発性メモリ（例えば、ランダムアクセスメモリ（ＲＡＭ））及び／又は不揮発性メモリ（例：読み取り専用メモリ（ＲＯＭ））などの有形の非一時的な機械可読媒体を含むことができる。記憶装置６４、７４、９４及び記憶装置８６の各々は、読み取り専用メモリ（ＲＯＭ）、フラッシュメモリ、ハードドライブ、及び／又は他の何れかの好適な光、磁気、又は半導体ストレージ媒体を含むことができる１又は２以上の記憶装置（例えば、不揮発性記憶装置）を含むことができる。
【００２５】
記憶装置６４、７４、９４及び記憶装置８６は、様々な情報を格納することができ、様々な目的に使用することができる。例えば、メモリデバイス６４、７４、９４及び記憶装置８６は、文書識別子２０の読み取り、文書保有者の顔１２の画像８４のキャプチャ、及び／又は文書識別子２０を画像８４に関連付けることに関する指示など、プロセッサ６２、７２、９２が実行するための機械可読及び／又はプロセッサ実行可能命令（例えば、ファームウェア又はソフトウェア）を格納することができる。
【００２６】
画像キャプチャ装置２４、スキャニング装置１８、並びにプロファイル及び遅延システム３０の各々はまた、それぞれのコントローラ６０、７０、９０に通信可能に結合され、それぞれのコントローラ６０、７０、９０が、通信ネットワーク６８を含む何れかの好適な通信ネットワークと通信することを可能にするそれぞれの通信インターフェース６６、７６、９６を含むことができる。例えば、通信ネットワーク６８は、無線ネットワーク（例えば、モバイル、ＷｉＦｉ、ＬＡＮ、ＷＡＮ、インターネット及び同様のもの）を含むことができ、通信インターフェース６６、７６、９６により、それぞれのコントローラ６０、７０、９０が通信ネットワーク６８と通信することを可能にすることができる。このように、通信インターフェース６６、７６、９６は、コントローラ６０、７０、９０が互いに通信することを可能にすることができる。
【００２７】
図５は、本開示の実施形態による、図１〜３の文書認証及び顔認識システム１０を使用して顔認識スループットを向上させるためのプロセス１１０のフローチャートである。プロセス１１０は、プロセッサ６２、７２、９２のうちの少なくとも１つなど、文書認証及び顔認識システム１０の少なくとも１つの好適なプロセッサによって実行される命令を含むソフトウェアアプリケーションの形態とすることができる。図示のプロセス１１０は、単に実施例として提供されており、他の実施形態では、プロセス１１０の特定の例示のステップは、本開示に従って、他の順序で実行されるか、スキップされるか、又は繰り返すことができる。
【００２８】
図示のように、プロセスブロック１１２において、プロファイル及び遅延システム３０のプロセッサ９２は、スキャンした文書１６（又は正常に読み取られた識別コード２０）の指標を受信することができる。詳細には、文書保有者１４が識別コード２０をスキャニング装置１８のセンサ２２と位置合わせすると、スキャニング装置１８は、文書１６をスキャンするか、識別コード２０を正常に読み取ることができる。次に、スキャニング装置１８のプロセッサ７２は、文書１６がスキャンされたこと、又は識別コード２０が通信インターフェース７６を使用して通信ネットワーク６８に正常に読み取られたことの指標を送信することができる。次いで、プロファイル及び遅延システム３０のプロセッサ９２は、通信インターフェース９６を使用して、通信ネットワーク６８からスキャンした文書１６の指標を受信することができる。
【００２９】
プロセスブロック１１４において、プロファイル及び遅延システム３０のプロセッサ９２は、遅延期間を待機することができる。詳細には、遅延ロジック８８は、遅延期間を生成し、及び／又はプロセッサ９２に提供することができる。その後、プロセッサ９２は、遅延期間を待機することができる。具体的には、プロセッサ９２は、遅延期間中に文書保有者１４の画像をキャプチャするための命令を送信しないようにすることができる。幾つかの実施形態では、遅延ロジック８８は、文書保有者１４の画像をキャプチャするための命令が、画像キャプチャ装置２４に送信することができるタイミングを示すことができる。
【００３０】
プロセスブロック１１６において、遅延期間を待機した後、プロファイル及び遅延システム３０のプロセッサ９２は、画像キャプチャ装置２４に対して、文書保有者１４の画像をキャプチャするように指示することができる。詳細には、遅延期間は、文書１６をスキャンした後、文書保有者１４が画像キャプチャ装置２４を見上げて、文書保有者の顔１２の良好で有効な及び／又は適切な表現を提供するのに十分な期間とすることができるが、文書保有者１４が再び画像キャプチャ装置２４に対面しないことができるほど長くはない。このように、プロセッサ９２は、通信インターフェース９６を使用して通信ネットワーク６８に命令を送信して画像キャプチャ装置２４が文書保有者１４及びより具体的には文書保有者の顔１２の画像をキャプチャすることができる。画像キャプチャ装置２４のプロセッサ６２は、通信インターフェース６６を用いて通信ネットワーク６８から命令を受信し、次いで、カメラ２６に対して文書保有者の顔１２の画像をキャプチャするように命令することができる。遅延期間により、文書保有者１４は、文書１６をスキャンした後に画像キャプチャ装置２４を見上げることができるので、キャプチャされた画像は、文書保有者の顔１２の良好で有効な及び／又は適切な表現を提供することができる。このように、プロセス１１０は、スキャンした文書１６の指標を受信した後で且つ文書保有者の顔１２の画像をキャプチャする前に遅延期間を待機することによって、顔認識スループットを向上させることができる。
【００３１】
本明細書で提示及び請求される技術は、本発明の技術分野を明らかに改善し、従って、抽象的、無形物、又は純粋に理論的ではない、有形物及び具体例に参照及び適用される。更に、本明細書の末尾に添付される特許請求の範囲が、「[機能]を実行するための手段…」又は「[機能]を実行するためのステップ…」として指定された１又は２以上の要素を包含する場合、このような要素は、米国特許法１１２条（ｆ）に基づいて解釈すべきであるものとする。しかしながら、他の方法で指定された要素を含む何れかの請求項については、このような要素は米国特許法１１２条（ｆ）に基づいて解釈されないものとする。
【符号の説明】
【００３２】
１０  文書認証及び顔認識システム
１２  顔
１４  文書保有者
１６  文書
１８  スキャニング装置
２０  識別コード
２２  センサ
２４  画像キャプチャ装置
２６  カメラ
２８  ディスプレイ
３０  プロファイル及び遅延システム
【図１】
2021522599.tif 000003
【図２】
2021522599.tif 000004
【図３】
2021522599.tif 000005
【図４】
2021522599.tif 000006
【図５】
2021522599.tif 000007
【手続補正書】
【提出日】令和2年11月4日(2020.11.4)
【手続補正１】
【補正対象書類名】特許請求の範囲
【補正対象項目名】全文
【補正方法】変更
【補正の内容】
【特許請求の範囲】
【請求項１】
顔認識スループットを向上させるためのシステムであって、
文書の識別コードを読み取るように構成されたスキャニング装置と、
前記スキャニング装置から分離された、文書保有者の画像をキャプチャするよう構成された画像キャプチャ装置と、
前記画像キャプチャ装置及び前記スキャニング装置に通信可能に結合されたプロファイル及び遅延システムと、
を備え、
前記プロファイル及び遅延システムが、
プロセッサと、
命令を格納するメモリと、
を含み、
前記命令は、実行時に前記プロセッサに対して、
前記識別コードが読み取られたという指標を前記スキャニング装置から受信し、
前記識別コードが読み取られたという指標を前記スキャニング装置から受信したことに応答して、前記文書保有者が、前記スキャニング装置から、該スキャニング装置から分離された前記画像キャプチャ装置に見上げることを可能にするよう前記遅延期間を待機し、
前記画像キャプチャ装置に対して、前記文書保有者の画像をキャプチャするよう指示する、
ようにさせ、
前記文書保有者の画像は、顔認識を用いて前記文書保有者を認証するのに使用されるように構成されている、ことを特徴とするシステム。
【請求項２】
前記スキャニング装置が、識別コードリーダーを含み、該識別コードリーダーは、前記文書の前記識別コードを読み取るように構成される、請求項１に記載のシステム。
【請求項３】
前記文書は、資格又はクレデンシャルへのアクセスを前記文書保有者に提供するよう構成される、請求項１に記載のシステム。
【請求項４】
前記文書が入場券を含み、前記資格又はクレデンシャルが、テーマパークへの入場を含む、請求項３に記載のシステム。
【請求項５】
前記画像キャプチャ装置は、ディスプレイを含み、前記ディスプレイが、前記スキャニング装置を用いて前記識別コードを読み取るように前記文書保有者に指示するよう構成されている、請求項１に記載のシステム。
【請求項６】
前記プロファイル及び遅延システムが記憶装置を含み、前記記憶装置が、複数の文書所有者プロファイルを格納するよう構成される、請求項１に記載のシステム。
【請求項７】
前記複数の文書所有者プロファイルの文書所有者プロファイルが、前記識別コードと、前記文書保有者の画像とを含む、請求項６に記載のシステム。
【請求項８】
前記プロファイル及び遅延システムが、通信ネットワークを介して前記画像キャプチャ装置及び前記スキャニング装置に通信可能に結合される、請求項１に記載のシステム。
【請求項９】
前記遅延期間が、前記スキャニング装置が前記識別コードを読み取った後に、前記文書保有者が前記画像キャプチャ装置を見るのに十分な時間を提供するよう構成される、請求項１に記載のシステム。
【請求項１０】
前記遅延期間が、０．５〜３秒の間である、請求項１に記載のシステム。
【請求項１１】
前記プロセッサが、前記文書保有者の画像をキャプチャしようとする成功した試行の割合に基づいて、前記遅延期間を調整するよう構成される、請求項１に記載のシステム。
【請求項１２】
顔認識スループットを向上させるためのプロファイル及び遅延システムであって、
プロセッサと、
命令を格納するように構成されたメモリと、
を備え、前記命令は、実行時に前記プロセッサに対して、
前記プロファイル及び遅延システムに通信可能に結合されたスキャニング装置からスキャンした文書の指標を受信し、
前記スキャンした文書の指標を受信したことに応答して、文書保有者が、前記スキャニング装置から、該スキャニング装置から分離された前記画像キャプチャ装置に見上げることを可能にするよう遅延期間を待機し、
前記プロファイル及び遅延システムに通信可能に結合され且つ前記スキャニング装置から分離された前記画像キャプチャ装置に対して、前記文書保有者の画像をキャプチャするよう指示する、
ようにさせ、
前記文書保有者の画像は、顔認識を用いて前記文書保有者を認証するのに使用されるように構成されている、ことを特徴とするプロファイル及び遅延システム。
【請求項１３】
前記スキャンした文書が、チケット、識別文書又は支払い形式を含む、請求項１２に記載のプロファイル及び遅延システム。
【請求項１４】
記憶装置を備え、前記記憶装置が、複数の文書保有者プロファイルを格納するよう構成されている、請求項１２に記載のプロファイル及び遅延システム。
【請求項１５】
前記スキャンした文書が、文書識別子を含み、前記複数の文書保有者プロファイルのうちの文書保有者プロファイルが、前記文書識別子及び前記文書保有者の画像を含む、請求項１４に記載のプロファイル及び遅延システム。
【請求項１６】
前記画像キャプチャ装置及び前記スキャニング装置が、通信ネットワークを介して前記プロファイル及び遅延システムに通信可能に結合される、請求項１２に記載のプロファイル及び遅延システム。
【請求項１７】
顔認識スループットを向上させるための方法であって、
スキャニング装置からスキャンした文書の指標を受信するステップと、
前記スキャニング装置から前記スキャンした文書の指標の受信に応答して遅延期間を待機し、文書保有者が、前記スキャニング装置から、該スキャニング装置から分離された画像キャプチャ装置に見上げるのを可能にするステップと、
前記スキャニング装置から分離された前記画像キャプチャ装置に対して、前記遅延期間を待機するステップの後に前記文書保有者の画像をキャプチャするよう指示するステップと、
を含み、前記文書保有者の画像は、顔認識を用いて前記文書保有者を認証するのに使用されるよう構成される、方法。
【請求項１８】
前記スキャンした文書の識別子を受信するステップと、
前記文書保有者の前記画像を受信するステップと、
を含む、請求項１７に記載の方法。
【請求項１９】
前記識別子を記憶装置に格納するステップと、
前記記憶装置に前記文書保有者の画像を格納するステップと、
前記記憶装置の前記画像と前記識別子を関連付けるステップと、
を含む、請求項１８に記載の方法。
【請求項２０】
前記文書保有者の画像をキャプチャしようとする成功した試行の割合に基づいて、前記遅延期間を調整するよう構成される、請求項１７に記載の方法。
【国際調査報告】
2021522599.tif 000008
2021522599.tif 000009
2021522599.tif 000010